(57)【特許請求の範囲】
【請求項１】
入力信号の輝度レベルを変換するルックアップテーブルと、
前記ルックアップテーブルに基いて画像を表示する表示部とを備える表示装置であって
、
前記ルックアップテーブルは、第１の輝度レベル以下の第１の範囲、第１の輝度レベル
より高く第２の輝度レベルより低い第２の範囲、第２の輝度レベル以上の第３の範囲を有
し、前記第１の範囲において、所定の第１のゲイン値と該ルックアップテーブルに基き、
前記第２の範囲において、前記第１のゲイン値と所定の第２のゲイン値と該ルックアップ
テーブルに基き、前記第３の範囲において、前記第２のゲイン値と該ルックアップテーブ
ルに基いて算出された第１の補正データを該ルックアップテーブルに設定したことを特徴
とする表示装置。
【請求項２】
前記第１のゲイン値は、前記第１の輝度レベルの画像が前記ルックアップテーブルに事
前に設定された第２の補正データに基いて前記表示部に所定の色バランスで表示されると
きの前記第１の輝度レベルに与えられるゲインの値であり、
前記第２のゲイン値は、前記第２の輝度レベルの画像が前記第２の補正データに基いて
前記表示部に所定の色バランスで表示されるときの前記第２の輝度レベルに与えられるゲ
インの値である、ことを特徴とする請求項１に記載の表示装置。
【請求項３】
前記ルックアップテーブルは、赤、緑、青の各ルックアップテーブルを含むことを特徴
とする請求項１又は請求項２に記載の表示装置。
【請求項４】
前記ルックアップテーブルは事前に設定された第２の補正データを有し、
前記ルックアップテーブルへの入力信号の輝度レベルをｘとし、
前記第２の補正データが設定されたルックアップテーブルで変換された輝度レベルをｙ
＝Ｆ（ｘ）とし、
前記第１の補正データが設定されたルックアップテーブルで変換された輝度レベルをｙ
＝Ｇ（ｘ）とし、
前記第１の輝度レベルをＩｎＬとし、
前記第１のゲイン値をＧａｉｎＬとして、
前記第１の補正データは、
ｘ≦ＩｎＬの範囲において、
ｙ＝Ｇ（ｘ）＝Ｆ（ＧａｉｎＬ×ｘ）
の計算式に基いて算出されることを特徴とする請求項１乃至請求項３のいずれか一項に記
載の表示装置。
【請求項５】
前記ルックアップテーブルは事前に設定された第２の補正データを有し、
前記ルックアップテーブルへの入力信号の輝度レベルをｘとし、
前記第２の補正データが設定されたルックアップテーブルで変換された輝度レベルをｙ
＝Ｆ（ｘ）とし、
前記第１の補正データが設定されたルックアップテーブルで変換された輝度レベルをｙ
＝Ｇ（ｘ）とし、
前記第１の輝度レベルをＩｎＬとし、
前記第２の輝度レベルをＩｎＨとし、
前記第１のゲイン値をＧａｉｎＬとし、
前記第２のゲイン値をＧａｉｎＨとし、
（ｘ−ＧａｉｎＬ）／（ＧａｉｎＨ−ＧａｉｎＬ）をαとして、
前記第１の補正データは、
ＩｎＬ＜ｘ＜ＩｎＨの範囲において、
ｙ＝Ｇ（ｘ）＝α×Ｆ（ＧａｉｎＨ×ｘ）＋（１−α）×Ｆ（ＧａｉｎＬ×ｘ）
の計算式に基いて算出されることを特徴とする請求項１乃至請求項３のいずれか一項に記
載の表示装置。
【請求項６】
前記ルックアップテーブルは事前に設定された第２の補正データを有し、
前記ルックアップテーブルへの入力信号の輝度レベルをｘとし、
前記第２の補正データが設定されたルックアップテーブルで変換された輝度レベルをｙ
＝Ｆ（ｘ）とし、
前記第１の補正データが設定されたルックアップテーブルで変換された輝度レベルをｙ
＝Ｇ（ｘ）とし、
前記第２の輝度レベルをＩｎＨとし、
前記第２のゲイン値をＧａｉｎＨとして、
前記第１の補正データは、
ＩｎＨ≦ｘの範囲において、
ｙ＝Ｇ（ｘ）＝Ｆ（ＧａｉｎＨ×ｘ）
の計算式に基いて算出されることを特徴とする請求項１乃至請求項３のいずれか一項に記
載の表示装置。
【発明の詳細な説明】
【技術分野】
【０００１】
本発明は、画像を表示する表示装置に関するものである。
【背景技術】
【０００２】
従来から、カラーディスプレイにカラー画像を表示する画像表示装置において、テレビジョン放送局から放送されるテレビジョン信号を受信して、テレビジョン信号に基く画像をカラーディスプレイの一種である液晶パネルに表示する、いわゆる液晶テレビと呼ばれる装置がある。このような液晶テレビでは、液晶パネルに表示する画像の色バランス（色合い）を補正（規定の色バランスとなるように補正）するための補正データのテーブルであるＬＵＴを備えており、テレビジョン信号に基く画像は、ＬＵＴの補正データに基いて色バランスが補正（規定の色バランスとなるように補正）されたうえで、液晶パネルに表示するようになっている。すなわち、このような液晶テレビでは、テレビジョン信号に基く画像の画像データ（テレビジョン信号から生成した画像データ）における赤、緑、青の各色の輝度レベルを示す入力値がＬＵＴの補正データに基いて補正されて、この補正後の入力値による画像が液晶パネルに表示されるようになっている。
【０００３】
ところで、ＬＵＴの補正データは、アベレージ品と呼ばれる１台の液晶テレビを用いて、その液晶テレビに表示される画像の色バランスに基いて、計算されて作成される。一方、個々の液晶テレビには個体差がある。従って、ある同じ画像データによる画像に対して、個々の液晶テレビにおいて同じＬＵＴの補正データによって同じように色バランスを補正したとしても、個々の液晶テレビの個体差のために、個々の液晶テレビにおいて表示される表示画像の色合い（色バランス）に差異を生じてしまう。つまり、ＬＵＴの補正データに基いて補正した後の表示画像の色バランスが、液晶テレビの個体差のために、規定の色バランスにならない場合がある。
【０００４】
そこで、このような液晶テレビでは、個々の液晶テレビにおける表示画像の色合いの差異（液晶テレビの個体差による表示画像の色合いの差異）をなくすために、すなわち、ＬＵＴの補正データに基いて補正した後の表示画像の色バランスが、液晶テレビの個体差のために規定の色バランスにならない場合に、表示画像の色バランスを規定の色バランスにするために、出荷前に、ホワイトバランス調整と呼ばれる調整を行っている。
【０００５】
従来の液晶テレビでは、与えられた画像データ（テレビジョン信号から生成した画像データ）における赤、緑、青の各色の輝度レベルを示す入力値にゲイン及びオフセットを与え、このゲイン及びオフセットを与えた後の入力値をＬＵＴの補正データに基いて補正して、この補正後の入力値による画像を液晶パネルに表示するように構成し、そして、この入力値に与えるゲインの値及びオフセットの値を調整することにより、ホワイトバランス調整を行う（すなわち、表示画像の色バランスを規定の色バランスにする）ようになっている。
【０００６】
つまり、従来の液晶テレビでは、ＬＵＴを別のものに取換えたり、ＬＵＴの補正データを書換えたりせずに、入力値にゲインを与えるためのゲイン調整部及び入力値にオフセットを与えるためのオフセット調整部を設けて、ゲイン調整部におけるゲインの値（入力値に与えるゲインの値）及びオフセット調整部におけるオフセットの値（入力値に与えるオフセットの値）を調整することにより、ホワイトバランス調整を行うようになっている。
【０００７】
このホワイトバランス調整は、所定の調整用画像（所定の輝度レベルの白色（無彩色）画像）を液晶テレビの液晶パネルに表示させて、その表示される調整用画像の色バランスが所定の色バランスとなるように、ゲイン調整部におけるゲインの値及びオフセット調整部におけるオフセットの値を調整することにより行われる。
【０００８】
すなわち、調整用画像の画像データを外部装置である調整用画像供給装置から液晶テレビに与える。これにより、液晶テレビに与えられた調整用画像の画像データにおける赤、緑、青の各色の輝度レベルを示す入力値である調整用入力値にゲイン及びオフセット（初期状態では、ゲインは１、オフセットは０）が与えられ、このゲイン及びオフセットが与えられた後の調整用入力値がＬＵＴの補正データに基いて補正されて、この補正後の調整用入力値による調整用画像が液晶パネルに表示される。そして、液晶パネルに表示されている調整用画像の色バランスを外部装置である測定装置により測定し、その測定値が規定範囲内となるように、すなわち、液晶パネルに表示される調整用画像の色バランスが所定の色バランスとなるように、ゲイン調整部におけるゲインの値及びオフセット調整部におけるオフセットの値を調整する。
【０００９】
より具体的には、調整用画像として、輝度レベルの異なる２つの調整用画像（輝度レベルの低い方の調整用画像をＬｏｗ側調整用画像と呼び、輝度レベルの高い方の調整用画像をＨｉｇｈ側調整用画像と呼ぶ）を液晶パネルに表示させ、Ｈｉｇｈ側調整用画像の色バランスが所定の色バランスとなるように、ゲイン調整部におけるゲインの値を調整すると共に、Ｌｏｗ側調整用画像の色バランスが所定の色バランスとなるように、オフセット調整部におけるオフセットの値を調整する。
【００１０】
すなわち、Ｈｉｇｈ側調整用画像を液晶パネルに表示させて、ゲイン調整部におけるゲインの値を調整する作業と、Ｌｏｗ側調整用画像を液晶パネルに表示させて、オフセット調整部におけるオフセットの値を調整する作業を繰り返して、Ｈｉｇｈ側調整用画像の色バランス及びＬｏｗ側調整用画像の色バランスが所定の色バランスとなるように、ゲイン調整部におけるゲインの値及びオフセット調整部におけるオフセットの値を調整する。ホワイトバランス調整は、このようにして行われる。
【００１１】
ホワイトバランス調整を行った後、テレビジョン信号に基く画像を表示するときには、この調整されたゲインの値及びオフセットの値によって、表示しようとする画像の画像データにおける赤、緑、青の各色の輝度レベルを示す入力値にゲイン及びオフセットが与えられ、このゲイン及びオフセットが与えられた後の入力値がＬＵＴの補正データに基いて補正されて、この補正後の入力値による画像が液晶パネルに表示される。ホワイトバランス調整により調整されたゲインの値及びオフセットの値は、全ての入力値範囲に一律に適用され、表示しようとする画像の画像データにおける赤、緑、青の各色の輝度レベルを示す入力値には、この調整されたゲインの値及びオフセットの値によって、一律に、ゲイン及びオフセットが与えられる。
【００１２】
一方、ホワイトバランス調整の基準となる利得基準データと直流オフセットデータを初期値として、直流オフセットを決める暗い画面のデータと利得を決める明るい画面のデータと、蛍光面の光を電気信号に変えた暗い画面のデータと、明るい画面のデータとの誤差を検出し、誤差がゼロになるように利得及び直流オフセットを制御するようにしたホワイトバランス自動調整装置が知られている（例えば特許文献１参照）。また、コントラストを測定し、表示に利用できうるダイナミックレンジを設定し、このダイナミックレンジに合わせてゲイン調整、及びオフセット調整を行い、その後に、ダイナミックレンジがフルレンジとなるようにＬＵＴのデータを再計算して書込むようにした階調補正データの作成方法が知られている（例えば特許文献２参照）。また、複数個のディスプレイを組合わせて１つの大画面ディスプレイを形成するマルチディスプレイ装置に対し、複数個のディスプレイからの赤、緑、青の光量を１台のカメラにより検出して、ホワイトバランス調整を行うようにしたマルチディスプレイ装置の自動調整システムが知られている（例えば特許文献３参照）。
【先行技術文献】
【特許文献】
【００１３】
【特許文献１】特開平５−２３６４９８号公報
【特許文献２】特開２００１−２３８２２７号公報
【特許文献３】特開平７−６４５２２号公報
【発明の概要】
【発明が解決しようとする課題】
【００１４】
ところで、上述した従来のホワイトバランス調整では、以下の問題がある。（１）表示しようとする画像の画像データにおける赤、緑、青の各色の輝度レベルを示す入力値に一律にオフセットが与えられてしまう。このため、表示しようとする画像の画像データにおける赤、緑、青の各色の輝度レベルを示す入力値が低いとき（特に、Ｌｏｗ側調整用入力値以下のとき）に、表示画像の色精度が悪くなる（表示画像の色バランスが規定の色バランスからずれる）。例えば、赤の輝度レベルを示す入力値に与えるオフセット値がプラスの値である場合、表示画像は、黒を含む暗部（表示画像の輝度が低い部分）が想定以上の赤みを帯びてしまう。（２）Ｈｉｇｈ側調整用画像を表示させてのゲインの調整と、Ｌｏｗ側調整用画像を表示させてのオフセットの調整が相互に影響を及ぼし合ってしまう。このため、Ｌｏｗ側調整用画像とＨｉｇｈ側調整用画像の両方の画像の色バランスが規格値に収まるまで（すなわち、Ｌｏｗ側調整用画像とＨｉｇｈ側調整用画像の両方の画像の色バランスが所定の色バランスとなるときのゲインの値及びオフセットの値を決定できるまで）、Ｌｏｗ側調整用画像の色バランスが所定の色バランスとなるようにオフセットを調整する作業と、Ｈｉｇｈ側調整用画像の色バランスが所定の色バランスとなるようにゲインを調整する作業を、何度も繰り返さなければならず、調整時間が長くなる。
【００１５】
このように、従来のホワイトバランス調整では、ホワイトバランス調整を行った後における表示画像の色精度が悪い。すなわち、ホワイトバランス調整の精度が悪い。また、ホワイトバランス調整に要する調整時間が長い。プラズマディスプレイ、ＣＲＴディスプレイ、有機ＥＬディスプレイ等のカラーディスプレイに画像を表示する画像表示装置においても、同様の問題がある。なお、上述した特許文献１乃至特許文献３に開示の内容を適用したとしても、上記の問題を解決することはできない。
【００１６】
本発明は、上記課題を解決するためになされたものであり、ホワイトバランス調整の精度を向上させることができる表示装置を提供することを目的とする。
【課題を解決するための手段】
【００１７】
上記目的を達成するために請求項１の発明は、入力信号の輝度レベルを変換するルックアップテーブルと、ルックアップテーブルに基いて画像を表示する表示部とを備える表示装置であって、ルックアップテーブルは、第１の輝度レベル以下の第１の範囲、第１の輝度レベルより高く第２の輝度レベルより低い第２の範囲、第２の輝度レベル以上の第３の範囲を有し、第１の範囲において、所定の第１のゲイン値と該ルックアップテーブルに基き、第２の範囲において、第１のゲイン値と所定の第２のゲイン値と該ルックアップテーブルに基き、第３の範囲において、第２のゲイン値と該ルックアップテーブルに基いて算出された第１の補正データを該ルックアップテーブルに設定した表示装置である。
【００１８】
請求項２の発明は、請求項１に記載の表示装置において、第１のゲイン値は、第１の輝度レベルの画像がルックアップテーブルに事前に設定された第２の補正データに基いて表示部に所定の色バランスで表示されるときの第１の輝度レベルに与えられるゲインの値であり、第２のゲイン値は、第２の輝度レベルの画像が第２の補正データに基いて表示部に所定の色バランスで表示されるときの第２の輝度レベルに与えられるゲインの値である、ものである。
【００１９】
請求項３の発明は、請求項１又は請求項２に記載の表示装置において、ルックアップテーブルは、赤、緑、青の各ルックアップテーブルを含むものである。
【００２０】
請求項４の発明は、請求項１乃至請求項３のいずれか一項に記載の表示装置において、ルックアップテーブルは事前に設定された第２の補正データを有し、ルックアップテーブルへの入力信号の輝度レベルをｘとし、第２の補正データが設定されたルックアップテーブルで変換された輝度レベルをｙ＝Ｆ（ｘ）とし、第１の補正データが設定されたルックアップテーブルで変換された輝度レベルをｙ＝Ｇ（ｘ）とし、第１の輝度レベルをＩｎＬとし、第１のゲイン値をＧａｉｎＬとして、第１の補正データは、ｘ≦ＩｎＬの範囲において、ｙ＝Ｇ（ｘ）＝Ｆ（ＧａｉｎＬ×ｘ）の計算式に基いて算出されるものである。
【００２１】
請求項５の発明は、請求項１乃至請求項３のいずれか一項に記載の表示装置において、ルックアップテーブルは事前に設定された第２の補正データを有し、ルックアップテーブルへの入力信号の輝度レベルをｘとし、第２の補正データが設定されたルックアップテーブルで変換された輝度レベルをｙ＝Ｆ（ｘ）とし、第１の補正データが設定されたルックアップテーブルで変換された輝度レベルをｙ＝Ｇ（ｘ）とし、第１の輝度レベルをＩｎＬとし、第２の輝度レベルをＩｎＨとし、第１のゲイン値をＧａｉｎＬとし、第２のゲイン値をＧａｉｎＨとし、（ｘ−ＧａｉｎＬ）／（ＧａｉｎＨ−ＧａｉｎＬ）をαとして、第１の補正データは、ＩｎＬ＜ｘ＜ＩｎＨの範囲において、ｙ＝Ｇ（ｘ）＝α×Ｆ（ＧａｉｎＨ×ｘ）＋（１−α）×Ｆ（ＧａｉｎＬ×ｘ）の計算式に基いて算出されるものである。
【００２２】
請求項６の発明は、請求項１乃至請求項３のいずれか一項に記載の表示装置において、ルックアップテーブルは事前に設定された第２の補正データを有し、ルックアップテーブルへの入力信号の輝度レベルをｘとし、第２の補正データが設定されたルックアップテーブルで変換された輝度レベルをｙ＝Ｆ（ｘ）とし、第１の補正データが設定されたルックアップテーブルで変換された輝度レベルをｙ＝Ｇ（ｘ）とし、第２の輝度レベルをＩｎＨとし、第２のゲイン値をＧａｉｎＨとして、第１の補正データは、ＩｎＨ≦ｘの範囲において、ｙ＝Ｇ（ｘ）＝Ｆ（ＧａｉｎＨ×ｘ）の計算式に基いて算出されるものである。
【発明の効果】
【００２３】
請求項１乃至請求項６の発明によれば、第１の補正データによって、第１の輝度レベルと第２の輝度レベルを基準とした輝度レベルの範囲毎に、第１のゲイン値と第２のゲイン値を使い分けて輝度レベルが変換されて、ホワイトバランス調整が行われる。これにより、ホワイトバランス調整（第１の補正データによる輝度レベルの変換）を行った後における表示画像の色精度を高精度にする（表示画像の色バランスを規定の色バランスにする）ように、適切にホワイトバランス調整することができ、ホワイトバランス調整の精度を向上させることができる。
【図面の簡単な説明】
【００２４】
【図１】本発明の一実施形態に係る液晶テレビの概略構成を示す電気的ブロック構成図。
【図２】同液晶テレビの画像処理部の構成を示す電気的ブロック構成図。
【図３】同液晶テレビのＬＵＴの補正データを示す図。
【発明を実施するための形態】
【００２５】
以下、本発明を具体化した実施形態による画像表示装置、及びＬＵＴ（ルックアップテーブル）の補正データの調整方法について図面を参照して説明する。図１は、本実施形態による画像表示装置である液晶テレビの構成を示す。液晶テレビ１は、テレビジョン放送局から放送されるテレビジョン信号を受信して、テレビジョン信号に基く画像を表示すると共に、テレビジョン信号に基く音声を出力する装置である。
【００２６】
この液晶テレビ１は、表示画像の色バランス（色合い）を補正（規定の色バランスとなるように補正）するための補正データのテーブルであるＬＵＴを備えており、テレビジョン信号に基く画像を、ＬＵＴの補正データに基いて色バランスを補正したうえで表示するようになっている。
【００２７】
また、この液晶テレビ１は、液晶テレビ１の個体差（液晶パネルの個体差）による表示画像の色バランスの差異をなくすための調整（すなわち、ＬＵＴの補正データに基いて補正した後の表示画像の色バランスが、液晶テレビ１の個体差のために規定の色バランスにならない場合に、表示画像の色バランスを規定の色バランスにするための調整）であるホワイトバランス調整を行う機能を有している。本発明では、ホワイトバランス調整は、ＬＵＴの補正データを調整する（再計算して書換える）ことにより行われる。
【００２８】
ホワイトバランス調整は、外部装置である調整用画像供給装置６０、測定装置７０、及び調整用リモコン８０を用いて行われる。調整用画像供給装置６０は、ホワイトバランス調整を行う（ＬＵＴの補正データを再計算する）ために用いる調整用画像の画像データである調整用画像データを出力する。測定装置７０は、測定対象の画像の色バランスを測定して、その色バランス測定値を出力する。調整用リモコン８０は、ホワイトバランス調整を行うときの各種動作を指示するために調整作業者（以下、オペレータという）に操作され、その操作内容を示す操作信号を無線信号によって送信する。
【００２９】
液晶テレビ１は、チューナ２と、画像処理部３と、カラーディスプレイである液晶パネル４と、音声処理部５と、スピーカ６と、調整用画像入力部７と、測定値入力部８と、リモコン９と、リモコン受信部１０と、液晶テレビ１の動作を制御するマイクロコンピュータ１１等を備える。
【００３０】
チューナ２は、マイクロコンピュータ１１による制御のもと、テレビジョン放送局から放送されるテレビジョン信号を受信し、そのテレビジョン信号から、テレビジョン信号に基く画像の画像データ、及びテレビジョン信号に基く音声の音声データを生成する。
【００３１】
画像処理部３は、マイクロコンピュータ１１による制御のもと、チューナ２により生成された画像データに対して各種の画像データ処理を行い、その処理後の画像データを液晶パネル４に供給する。液晶パネル４は、画像処理部３から供給された画像データによるカラー画像を表示する。
【００３２】
音声処理部５は、マイクロコンピュータ１１による制御のもと、チューナ２により生成された音声データに対して各種の音声データ処理を行い、その処理後の音声データをスピーカ６に供給する。スピーカ６は、音声処理部５から供給された音声データによる音声を出力する。
【００３３】
リモコン９は、液晶テレビ１の各種動作を指示するためにユーザに操作され、その操作内容を示す操作信号を赤外線によって送信する。リモコン受信部１０は、リモコン９から送信される操作信号を受信する。また、リモコン受信部１０は、調整用リモコン８０から送信される操作信号を受信する。
【００３４】
調整用画像入力部７は、ホワイトバランス調整を行うときに利用され、調整用画像供給装置６０が接続されて、調整用画像供給装置６０から出力される調整用画像データが入力される。測定値入力部８は、ホワイトバランス調整を行うときに利用され、測定装置７０が接続されて、測定装置７０から出力される色バランス測定値が入力される。マイクロコンピュータ１１は、液晶テレビ１の各種動作を制御する。
【００３５】
図２は、画像処理部３の電気的ブロック構成を示す。画像処理部３は、ゲイン調整部３１Ｒ、３１Ｇ、３１Ｂと、入力値補正部３２Ｒ、３２Ｇ、３２Ｂとを備える。また、画像処理部３は、不図示の各種信号処理部を備えている。画像処理部３には、チューナ２により生成されたテレビジョン信号に基く画像の画像データ、又は、調整用画像入力部７から入力された調整用画像の画像データが入力される。画像処理部３に入力された画像データは、不図示の各種信号処理部により各種信号処理が施され、その画像データにおける赤、緑、青の各色の輝度レベルを示す入力値ＩｎＲ、ＩｎＧ、ＩｎＢがゲイン調整部３１Ｒ、３１Ｇ、３１Ｂに入力される。
【００３６】
ゲイン調整部３１Ｒ、３１Ｇ、３１Ｂは、画像データにおける赤、緑、青の各色の輝度レベルを示す入力値ＩｎＲ、ＩｎＧ、ＩｎＢにゲインを与えるものである。ゲイン調整部３１Ｒは、乗算回路３３Ｒと、ゲイン設定部３４Ｒとを有し、ゲイン調整部３１Ｇは、乗算回路３３Ｇと、ゲイン設定部３４Ｇとを有し、ゲイン調整部３１Ｂは、乗算回路３３Ｂと、ゲイン設定部３４Ｂとを有する。
【００３７】
ゲイン調整部３１Ｒは、乗算回路３３Ｒにより、赤色の輝度レベルを示す入力値ＩｎＲとゲイン設定部３４Ｒに設定されているゲインの値とを乗算することによって、赤色の輝度レベルを示す入力値ＩｎＲにゲインを与える。ゲイン調整部３１Ｇは、乗算回路３３Ｇにより、緑色の輝度レベルを示す入力値ＩｎＧとゲイン設定部３４Ｇに設定されているゲインの値とを乗算することによって、緑色の輝度レベルを示す入力値ＩｎＧにゲインを与える。ゲイン調整部３１Ｂは、乗算回路３３Ｂにより、青色の輝度レベルを示す入力値ＩｎＢとゲイン設定部３４Ｂに設定されているゲインの値とを乗算することによって、青色の輝度レベルを示す入力値ＩｎＢにゲインを与える。
【００３８】
ゲイン調整部３１Ｒ、３１Ｇ、３１Ｂによりゲインが与えられた後の入力値（ゲイン調整部３１Ｒ、３１Ｇ、３１Ｂの出力値）ＩｎＲ’、ＩｎＧ’、ＩｎＢ’は、入力値補正部３２Ｒ、３２Ｇ、３２Ｂに入力される。
【００３９】
入力値補正部３２Ｒ、３２Ｇ、３２Ｂは、液晶パネル４に表示する画像の色バランスを補正するためのものである。入力値補正部３２Ｒは、ＬＵＴ３５Ｒを有し、入力値補正部３２Ｇは、ＬＵＴ３５Ｇを有し、入力値補正部３２Ｂは、ＬＵＴ３５Ｂを有する。
【００４０】
ＬＵＴ３５Ｒ、３５Ｇ、３５Ｂは、液晶パネル４に表示する画像の色バランスを補正するための補正データのテーブルである。ＬＵＴ３５Ｒ、３５Ｇ、３５Ｂの補正データは、赤、緑、青の各色の補正前の輝度レベルを示す補正前値と、該補正前値に対して補正して出力すべき輝度レベルを示す補正後値との関係を示すデータである。すなわち、ＬＵＴ３５Ｒの補正データは、赤色の補正前の輝度レベルを示す補正前値ｘＲと、補正前値ｘＲに対して補正して出力すべき赤色の輝度レベルを示す補正後値ｙＲとの関係を示すデータである。同様に、ＬＵＴ３５Ｇの補正データは、緑色の補正前の輝度レベルを示す補正前値ｘＧと、補正前値ｘＧに対して補正して出力すべき緑色の輝度レベルを示す補正後値ｙＧとの関係を示すデータであり、ＬＵＴ３５Ｂの補正データは、青色の補正前の輝度レベルを示す補正前値ｘＢと、補正前値ｘＢに対して補正して出力すべき青色の輝度レベルを示す補正後値ｙＢとの関係を示すデータである。
【００４１】
入力値補正部３２Ｒ、３２Ｇ、３２Ｂは、入力値ＩｎＲ’、ＩｎＧ’、ＩｎＢ’をＬＵＴ３５Ｒ、３５Ｇ、３５Ｂの補正データに基いて補正する。すなわち、入力値補正部３２Ｒは、ＬＵＴ３５Ｒを参照し、入力値ＩｎＲ’に等しい補正前値ｘＲに対応する補正後値ｙＲを出力値ＯｕｔＲとして出力する。同様に、入力値補正部３２Ｇは、ＬＵＴ３５Ｇを参照し、入力値ＩｎＧ’に等しい補正前値ｘＧに対応する補正後値ｙＧを出力値ＯｕｔＧとして出力し、入力値補正部３２Ｂは、ＬＵＴ３５Ｂを参照し、入力値ＩｎＢ’に等しい補正前値ｘＢに対応する補正後値ｙＢを出力値ＯｕｔＢとして出力する。
【００４２】
入力値補正部３２Ｒ、３２Ｇ、３２Ｂから出力された出力値（入力値補正部３２Ｒ、３２Ｇ、３２Ｂにより補正された後の入力値）ＯｕｔＲ、ＯｕｔＧ、ＯｕｔＢ、は、液晶パネル４に供給され、これら出力値ＯｕｔＲ、ＯｕｔＧ、ＯｕｔＢによる画像が液晶パネル４に表示される。
【００４３】
このような画像処理部３の構成により、与えられた画像データによる画像（テレビジョン信号に基く画像又は調整用画像）を液晶パネル４に表示するとき、その画像の画像データにおける赤、緑、青の各色の輝度レベルを示す入力値ＩｎＲ、ＩｎＧ、ＩｎＢにゲイン調整部３１Ｒ、３１Ｇ、３１Ｂによりゲインが与えられ、このゲインが与えられた後の入力値ＩｎＲ’、ＩｎＧ’、ＩｎＢ’がＬＵＴ３５Ｒ、３５Ｇ、３５Ｂの補正データに基いて補正されて、この補正後の入力値ＯｕｔＲ、ＯｕｔＧ、ＯｕｔＢによる画像が液晶パネル４に表示される。
【００４４】
ゲイン設定部３４Ｒ、３４Ｇ、３４Ｂにおけるゲインの値は、マイクロコンピュータ１１による制御のもと、設定される。すなわち、ゲイン調整部３１Ｒが入力値ＩｎＲに与えるゲインの値、ゲイン調整部３１Ｇが入力値ＩｎＧに与えるゲインの値、ゲイン調整部３１Ｂが入力値ＩｎＢに与えるゲインの値は、マイクロコンピュータ１１による制御のもと、調整される。
【００４５】
マイクロコンピュータ１１は、調整用画像を表示させるとき以外は、ゲイン設定部３４Ｒ、３４Ｇ、３４Ｂにおけるゲインの値を１に設定する。すなわち、調整用画像以外の画像（テレビジョン信号に基く画像）を表示するときは、ゲインが与えられる前の入力値ＩｎＲ、ＩｎＧ、ＩｎＢとゲインが与えられた後の入力値ＩｎＲ’、ＩｎＧ’、ＩｎＢ’は等しい。
【００４６】
次に、ホワイトバランス調整について説明する。本発明では、ホワイトバランス調整は、ＬＵＴ３５Ｒ、３５Ｇ、３５Ｂの補正データを調整する（再計算して書換える）ことによって行われる。
【００４７】
ＬＵＴ３５Ｒ、３５Ｇ、３５Ｂの補正データの調整方法は、所定の調整用画像（所定の輝度レベルの白色（無彩色）画像）を液晶パネル４に表示させる調整用画像表示ステップと、液晶パネル４に表示される調整用画像の色バランスが所定の色バランスとなるときのゲイン調整部３１Ｒ、３１Ｇ、３１Ｂにおけるゲインの値を調整ゲイン値（調整値）として決定する調整値決定ステップと、ＬＵＴ３５Ｒ、３５Ｇ、３５Ｂの補正データを、その補正データと調整ゲイン値とに基いて再計算するＬＵＴ補正データ再計算ステップと、ＬＵＴ３５Ｒ、３５Ｇ、３５Ｂの補正データを、その再計算した補正データに書換えるＬＵＴ補正データ書換ステップとを備える。
【００４８】
本実施形態では、調整用画像として、輝度レベルの異なる２つの調整用画像を液晶パネル４に表示させて、これら２つの異なる調整用画像についての調整ゲイン値を決定し、そして、ＬＵＴ３５Ｒ、３５Ｇ、３５Ｂの補正データを、その補正データと２つの異なる調整用画像についての調整ゲイン値とに基いて再計算して書換えるようになっている。
【００４９】
具体的には、２つの異なる調整用画像のうち、輝度レベルの低い方の調整用画像をＬｏｗ側調整用画像とし、輝度レベルの高い方の調整用画像をＨｉｇｈ側調整用画像とする。そして、Ｌｏｗ側調整用画像の画像データにおける調整用入力値をＬｏｗ側調整用入力値ＩｎＬＲ、ＩｎＬＧ、ＩｎＬＢとし、Ｈｉｇｈ側調整用画像の画像データにおける調整用入力値をＨｉｇｈ側調整用入力値ＩｎＨＲ、ＩｎＨＧ、ＩｎＨＢとする。また、液晶パネル４に表示されるＬｏｗ側調整用画像の色バランスが所定の色バランスとなるときの調整ゲイン値をＬｏｗ側調整ゲイン値ＧａｉｎＬＲ、ＧａｉｎＬＧ、ＧａｉｎＬＢとし、液晶パネルに表示されるＨｉｇｈ側調整用画像の色バランスが所定の色バランスとなるときの調整ゲイン値をＨｉｇｈ側調整ゲイン値ＧａｉｎＨＲ、ＧａｉｎＨＧ、ＧａｉｎＨＢとする。また、（ｘＲ−ＧａｉｎＬＲ）／（ＧａｉｎＨＲ−ＧａｉｎＬＲ）をαＲとし、（ｘＧ−ＧａｉｎＬＧ）／（ＧａｉｎＨＧ−ＧａｉｎＬＧ）をαＧとし、（ｘＢ−ＧａｉｎＬＢ）／（ＧａｉｎＨＢ−ＧａｉｎＬＢ）をαＢとする。
【００５０】
また、ＬＵＴ３５Ｒ、３５Ｇ、３５Ｂの補正前値をｘＲ、ｘＧ、ｘＢとし、再計算前のＬＵＴ３５Ｒ、３５Ｇ、３５Ｂの補正後値をｙＲ＝ＦＲ（ｘＲ）、ｙＧ＝ＦＧ（ｘＧ）、ｙＢ＝ＦＢ（ｘＢ）とし、再計算後のＬＵＴ３５Ｒ、３５Ｇ、３５Ｂの補正後値をｙＲ＝ＧＲ（ｘＲ）、ｙＧ＝ＧＧ（ｘＧ）、ｙＢ＝ＧＢ（ｘＢ）とする。
【００５１】
マイクロコンピュータ１１は、補正後値ｙＲ＝ＧＲ（ｘＲ）を、
ｘＲ≦ＩｎＬＲの範囲において、
ｙＲ＝ＧＲ（ｘＲ）＝ＦＲ（ＧａｉｎＬＲ×ｘＲ）、
ＩｎＬＲ＜ｘＲ＜ＩｎＨＲの範囲において、
ｙＲ＝ＧＲ（ｘＲ）＝αＲ×ＦＲ（ＧａｉｎＨＲ×ｘＲ）＋（１−αＲ）×ＦＲ（ＧａｉｎＬＲ×ｘＲ）、
ＩｎＨＲ≦ｘＲの範囲において、
ｙＲ＝ＧＲ（ｘＲ）＝ＦＲ（ＧａｉｎＨＲ×ｘＲ）、
と再計算して書換える。
【００５２】
また、マイクロコンピュータ１１は、補正後値ｙＧ＝ＧＧ（ｘＧ）、ｙＢ＝ＧＢ（ｘＢ）についても同様に再計算して書換える。マイクロコンピュータ１１によって、ＬＵＴ補正データ再計算手段、及びＬＵＴ補正データ書換手段が構成されている。
【００５３】
ＬＵＴ３５Ｒ、３５Ｇ、３５Ｂの補正データの調整は、以下のようにして行われる。まず、オペレータが、調整用画像入力部７に調整用画像供給装置６０を接続すると共に、測定値入力部８に測定装置７０を接続する。
【００５４】
続いて、オペレータが、調整用画像供給装置６０からＬｏｗ側調整用画像の画像データを出力するように操作する。これにより、Ｌｏｗ側調整用画像データが調整用画像入力部７から入力されて、そのＬｏｗ側調整用画像の画像データにおける赤、緑、青の各色の輝度レベルを示す入力値ＩｎＲ、ＩｎＧ、ＩｎＢであるＬｏｗ側調整用入力値ＩｎＬＲ、ＩｎＬＧ、ＩｎＬＢにゲイン調整部３１Ｒ、３１Ｇ、３１Ｂによりゲインが与えられ、このゲインが与えられた後のＬｏｗ側調整用入力値ＩｎＬＲ’、ＩｎＬＧ’、ＩｎＬＢ’がＬＵＴ３５Ｒ、３５Ｇ、３５Ｂの補正データに基いて補正されて、この補正後のＬｏｗ側調整用入力値によるＬｏｗ側調整用画像が液晶パネル４に表示される（調整用画像表示ステップ）。Ｌｏｗ側調整用入力値ＩｎＬＲ、ＩｎＬＧ、ＩｎＬＢは、例えば、入力値ＩｎＲ、ＩｎＧ、ＩｎＢの採り得る最大値の３３％の値とされる。
【００５５】
また、オペレータが、液晶パネル４に表示されたＬｏｗ側調整用画像の色バランスを測定装置７０により測定する。これにより、測定装置７０により測定されたＬｏｗ側調整用画像の色バランス測定値が測定値入力部８に入力される。
【００５６】
ここで、オペレータが、調整用リモコン８０を操作して、Ｌｏｗ側調整ゲイン値ＧａｉｎＬＲ、ＧａｉｎＬＧ、ＧａｉｎＬＢを決定する旨の指示をする。これにより、マイクロコンピュータ１１は、測定値入力部８から入力される色バランス測定値に基いて、その色バランス測定値が規定範囲内となるように、すなわち、液晶パネル４に表示されるＬｏｗ側調整用画像の色バランスが所定の色バランスとなるように、ゲイン調整部３１Ｒ、３１Ｇ、３１Ｂにおけるゲインの値（Ｌｏｗ側調整用入力値ＩｎＬＲ、ＩｎＬＧ、ＩｎＬＢに与えるゲインの値）を調整する。ゲイン調整部３１Ｒ、３１Ｇ、３１Ｂにおけるゲインの値が調整されることにより、液晶パネル４に表示されるＬｏｗ側調整用画像の色バランスが変化し、液晶パネル４に表示されるＬｏｗ側調整用画像の色バランスに応じて、測定値入力部８に入力される色バランス測定値も変化する。マイクロコンピュータ１１は、色バランス測定値が規定範囲内となるときのゲインの値、すなわち、液晶パネル４に表示されるＬｏｗ側調整用画像の色バランスが所定の色バランスとなるときのゲインの値をＬｏｗ側調整ゲイン値ＧａｉｎＬＲ、ＧａｉｎＬＧ、ＧａｉｎＬＢとして決定する（調整値決定ステップ）。
【００５７】
続いて、オペレータが、調整用画像供給装置６０からＨｉｇｈ側調整用画像の画像データを出力するように操作する。これにより、Ｈｉｇｈ側調整用画像データが調整用画像入力部７から入力されて、そのＨｉｇｈ側調整用画像の画像データにおける赤、緑、青の各色の輝度レベルを示す入力値ＩｎＲ、ＩｎＧ、ＩｎＢであるＨｉｇｈ側調整用入力値ＩｎＨＲ、ＩｎＨＧ、ＩｎＨＢにゲイン調整部３１Ｒ、３１Ｇ、３１Ｂによりゲインが与えられ、このゲインが与えられた後のＨｉｇｈ側調整用入力値ＩｎＨＲ’、ＩｎＨＧ’、ＩｎＨＢ’がＬＵＴ３５Ｒ、３５Ｇ、３５Ｂの補正データに基いて補正されて、この補正後のＨｉｇｈ側調整用入力値によるＨｉｇｈ側調整用画像が液晶パネル４に表示される（調整用画像表示ステップ）。Ｈｉｇｈ側調整用入力値ＩｎＨＲ、ＩｎＨＧ、ＩｎＨＢは、例えば、入力値ＩｎＲ、ＩｎＧ、ＩｎＢの取り得る最大値の６６％の値とされる。
【００５８】
また、オペレータが、液晶パネル４に表示されたＨｉｇｈ側調整用画像の色バランスを測定装置７０により測定する。これにより、測定装置７０により測定されたＨｉｇｈ側調整用画像の色バランス測定値が測定値入力部８に入力される。
【００５９】
ここで、オペレータが、調整用リモコン８０を操作して、Ｈｉｇｈ側調整ゲイン値ＧａｉｎＨＲ、ＧａｉｎＨＧ、ＧａｉｎＨＢを決定する旨の指示をする。これにより、マイクロコンピュータ１１は、色バランス測定値が規定範囲内となるときのゲインの値、すなわち、液晶パネル４に表示されるＨｉｇｈ側調整用画像の色バランスが所定の色バランスとなるときのゲインの値をＨｉｇｈ側調整ゲイン値ＧａｉｎＨＲ、ＧａｉｎＨＧ、ＧａｉｎＨＢとして決定する（調整値決定ステップ）。
【００６０】
そして、オペレータが、調整用リモコン８０を操作して、ＬＵＴ３５Ｒ、３５Ｇ、３５Ｂの補正データを調整する旨の指示をする。これにより、マイクロコンピュータ１１は、ＬＵＴ３５Ｒ、３５Ｇ、３５Ｂの補正データを、その補正データとＬｏｗ側調整ゲイン値ＧａｉｎＬＲ、ＧａｉｎＬＧ、ＧａｉｎＬＢ及びＨｉｇｈ側調整ゲイン値ＧａｉｎＨＲ、ＧａｉｎＨＧ、ＧａｉｎＨＢに基いて再計算して（ＬＵＴ補正データ再計算ステップ）、この再計算した補正データに書換える（ＬＵＴ補正データ書換ステップ）。その後、マイクロコンピュータ１１は、ゲイン設定部３４Ｒ、３４Ｇ、３４Ｂにおけるゲインの値を１にする。ＬＵＴ３５Ｒ、３５Ｇ、３５Ｂの補正データの調整（ホワイトバランス調整）は、このようにして行われる。
【００６１】
図３は、ＬＵＴ３５Ｒの補正データの例を示す。横軸は、赤色の補正前の輝度レベルを示す補正前値ｘＲであり、縦軸は、補正前値ｘＲに対して補正して出力すべき赤色の輝度レベルを示す補正後値ｙＲである。ｙＲ＝ＦＲ（ｘＲ）は、再計算前の補正後値であり、ｙＲ＝ＧＲ（ｘＲ）は、再計算後の補正後値である。輝度レベルの最小値を０、輝度レベルの最大値を１００として表示している。
【００６２】
図示のｙＲ＝ＧＲ（ｘＲ）は、図示のｙＲ＝ＦＲ（ｘＲ）を再計算して得たものであり、Ｌｏｗ側調整用入力値ＩｎＬＲを３３、Ｈｉｇｈ側調整用入力値ＩｎＨＲを６６としてホワイトバランス調整を行い、Ｌｏｗ側調整ゲイン値ＧａｉｎＬＲ＝１．１、Ｈｉｇｈ側調整ゲイン値ＧａｉｎＨＲ＝０．９であった場合の再計算結果である。
【００６３】
本発明によれば、表示しようとする画像の画像データにおける赤、緑、青の各色の輝度レベルを示す入力値毎に、それらの各入力値を補正するように、ＬＵＴ３５Ｒ、３５Ｇ、３５Ｂの補正データを書換えることができる。これにより、表示しようとする画像の画像データにおける赤、緑、青の各色の輝度レベルを示す入力値の全ての範囲において、入力値毎に、それらの各入力値をＬＵＴ３５Ｒ、３５Ｇ、３５Ｂの補正データに基いて補正することができる。従って、ホワイトバランス調整を行った後における表示画像の色精度を高精度にする（表示画像の色バランスを規定の色バランスにする）ことができ、ホワイトバランス調整の精度を向上させることができる。また、ホワイトバランス調整は、ＬＵＴ３５Ｒ、３５Ｇ、３５Ｂの補正データの再計算及び書換えによって行われ、ＬＵＴ３５Ｒ、３５Ｇ、３５Ｂの補正データの再計算及び書換えは、短い時間で行うことができるため、ホワイトバランス調整に要する調整時間を短縮することができる。また、ハードウェア構成は従来のままで、ソフトウェアを変更するだけでよいため、ホワイトバランス調整の精度の向上、及びホワイトバランス調整に要する調整時間の短縮をコストアップなしに実現できる。
【００６４】
なお、本発明は、上記実施形態の構成に限られず、種々の変形が可能である。例えば、ゲイン調整部に代えて、調整用入力値にオフセットを与えるオフセット調整手段を設け、調整用画像を液晶パネルに表示するとき、その調整用画像の画像データにおける調整用入力値にオフセット調整手段によりオフセットを与え、このオフセットを与えた後の調整用入力値をＬＵＴの補正データに基いて補正して、この補正後の調整用入力値による調整用画像を液晶パネルに表示するようにしてもよい。そして、液晶パネルに表示される調整用画像の色バランスが所定の色バランスとなるときの、オフセット調整手段により調整用入力値に与えられるオフセットの値を調整オフセット値とし、マイクロコンピュータは、ＬＵＴの補正データを、その補正データと調整オフセット値とに基いて再計算するようにしてもよい。
【００６５】
また、調整用画像は、上記実施形態の画像に限られず、他の画像であってもよい。また、２つの調整用画像に限られず、１つの調整用画像によって、ＬＵＴの補正データを再計算してもよく、３つ以上の調整用画像によって、ＬＵＴの補正データを再計算してもよい。また、画像を表示するためのカラーディスプレイは、液晶パネルに限られず、プラズマディスプレイ、ＣＲＴディスプレイ、有機ＥＬディスプレイ等であってもよい。カラーディスプレイがプラズマディスプレイ、ＣＲＴディスプレイ、有機ＥＬディスプレイ等である場合にも、同様の作用、効果が得られ、ホワイトバランス調整の精度を向上させることができる。また、本発明は、液晶テレビに限られず、例えば、ＢＤプレイヤ等のＡＶ機器に接続して使用される画像表示装置や、パーソナルコンピュータに用いられる画像表示装置等、他の画像表示装置にも適用可能である。また、画像を撮影して、その撮影画像をカラーディスプレイに表示するビデオカメラタイプの画像表示装置にも適用可能である。
【符号の説明】
【００６６】
１    液晶テレビ（画像表示装置）
２    チューナ
３    画像処理部
４    液晶パネル（カラーディスプレイ）
５    音声処理部
６    スピーカ
７    調整用画像入力部
８    測定値入力部
９    リモコン
１０    リモコン受信部
１１    マイクロコンピュータ（ＬＵＴ補正データ再計算手段、ＬＵＴ補正データ書換手段）
３１Ｒ、３１Ｇ、３１Ｂ    ゲイン調整部
３２Ｒ、３２Ｇ、３２Ｂ    入力値補正部
３３Ｒ、３３Ｇ、３３Ｂ    乗算回路
３４Ｒ、３４Ｇ、３４Ｂ    ゲイン設定部
３５Ｒ、３５Ｇ、３５Ｂ    ＬＵＴ
６０    調整用画像供給装置
７０    測定装置
８０    調整用リモコン
【図１】
0005938844.tif 000002
【図２】
0005938844.tif 000003
【図３】
0005938844.tif 000004